(57)【要約】【課題】レッグ開口部が大腿部にある生理用ショーツにおいて、装着時の生理用ナプキン等のズレが少なく、また、その形状を安定して保持することができ、さらに装着感が良好な生理用ショーツの提供。【解決手段】ウエスト開口部と、装着時に大腿部に位置する一対のレッグ開口部とを有する生理用ショーツであって、該ショーツは、前身ごろ部、わき身ごろ部、及び後身ごろ部で構成されてなる着用者の胴回りを覆う胴回りに、前記一対のレッグ開口部を分画するよう股下位置で股下部が形成され、さらに吸収性物品を装着する内部クロッチ布が前記股下部に重なるように前記胴回り生地に接合され、前記胴回りの後身ごろ部でおしりの膨らみを包む臀部領域の背丈方向の伸張性がその前身ごろ部の下腹部領域に比べ高い生理用ショーツ。【選択図】図１
2011050683.tif 000002
【特許請求の範囲】
【請求項１】
ウエスト開口部と、装着時に大腿部に位置する一対のレッグ開口部とを有する生理用ショーツであって、
該ショーツは、前身ごろ部、わき身ごろ部、及び後身ごろ部で構成されてなる着用者の胴回りを覆う胴回りに、前記一対のレッグ開口部を分画するよう股下位置で股下部が形成され、さらに吸収性物品を装着する内部クロッチ布が前記股下部に重なるように前記胴回り生地に接合され、前記胴回りの後身ごろ部でおしりの膨らみを包む臀部領域の背丈方向の伸張性がその前身ごろ部の下腹部領域に比べ高い生理用ショーツ。
【請求項２】
前記胴回りにおいて、そのわき身ごろ部の背丈方向の伸張性が前記前身ごろ部の下腹部領域に比べ高い請求項１に記載の生理用ショーツ。
【請求項３】
前記胴回りにおいて、そのわき身ごろ部の背丈方向の伸張性が前記前身ごろ部の下腹部領域に比べ高く、かつ、前記後身ごろ部の臀部領域に比べ低い請求項１又は２に記載の生理用ショーツ。
【請求項４】
前記胴回りが、前記後身ごろ部においてその臀部領域のウエスト開口部側及びレッグ開口部側にそれぞれその周辺部分より拡径方向の伸張性を低くした伸張抑制領域を有する請求項１〜３のいずれか１項に記載の生理用ショーツ。
【請求項５】
前記内部クロッチ布が前記胴回りの後身ごろ部に接合された部分が前記臀部領域のレッグ開口部側にある前記伸張抑制領域の一部をなす請求項４に記載の生理用ショーツ。
【発明の詳細な説明】
【技術分野】
【０００１】
本発明は、内部クロッチ布に生理用吸収性物品を取り付けて使用する生理用ショーツに関する。
【背景技術】
【０００２】
従来、生理用ショーツは、生理用ナプキンの股下部への着用性とその部分での浸み出しや汚れの防止性が重要視されてきた。最近では、さらにずり下がりやナプキンのフィット性を向上させる工夫がなされてきている。生理用ナプキンを股間部に確実に密着させようとするものとしては、前身ごろ、股下部、後身ごろにわたって伸縮性素材の吊上げ部材を設けたショーツが提案されている（特許文献１参照）。また、ショーツの後身ごろの胴まわり部から股下部にかけて伸縮部を設けて、この伸縮部を臀部の溝内に密着させ、生理用ナプキンを凸形状にして身体に固定するものも提案されている（特許文献２）。さらには、前身ごろの縦方向の伸びを横方向より小さくし、生理用ショーツの縦方向の伸びを全体に抑制して生理用品の密着性を向上するものも提案されている（特許文献３）。これらは足ぐりが腰付近にある、いわゆるノーマルタイプのショーツである。
【０００３】
ところで近年、ファッションの多様化に伴い、生理用ショーツにも多様なスタイルのものが要望されるようになってきた。特に「ローライズ」と呼ばれる股上の浅い服の流行により、これに対応した股上の浅い生理用ショーツの需要がある。ローライズ用の下着として、股下がＶ字のショーツに比べ足ぐりが低く足口部（レッグ開口部）が大腿部にあるものが流行している。
【先行技術文献】
【特許文献】
【０００４】
【特許文献１】特開２００１−２４５９２９号公報
【特許文献２】特開２００１−２７６１２９号公報
【特許文献３】特開２００２−１７７８２号公報
【発明の概要】
【発明が解決しようとする課題】
【０００５】
ローライズのショーツでは股上が浅く、側部を腰骨（腸骨稜）に引っ掛けるようにして着用するため、これに見合った伸張力があってずり落ちが防止され、かつ穿き心地が良いことが望ましい。このような着用性のみを考慮してローライズショーツの各部材の伸張性を調節することが考えられるが、それでは内側に装着した生理用品等の安定性を損ないかねない。そもそも、レッグ開口部が大腿部にある生理用ショーツの場合、股下がＶ字のものに比べ、着用時のずれや足の動きによる影響を大きく受け、内部クロッチ布に取り付けた生理用ナプキン等を股下部に安定して保持しがたい。この種のショーツにおいて穿き心地と着用時の安定性を実現し、しかも足の動きを阻害せずに、股下部で生理用ナプキンの形状を安定して固定保持でき、歩行時などにおいても生理用ナプキンのズレやよれを抑えることは容易とはいえず、これを技術的に研究した知見もこれまであまりない。
上記の点に鑑み本発明は、レッグ開口部が大腿部にある生理用ショーツにおいて、装着時の生理用ナプキン等のズレが少なく、また、その形状を安定して保持することができ、さらに装着感が良好な生理用ショーツの提供を目的とする。
【課題を解決するための手段】
【０００６】
上記課題は、ウエスト開口部と、装着時に大腿部に位置する一対のレッグ開口部とを有する生理用ショーツであって、該ショーツは、前身ごろ部、わき身ごろ部、及び後身ごろ部で構成されてなる着用者の胴回りを覆う胴回りに、前記一対のレッグ開口部を分画するよう股下位置で股下部が形成され、さらに吸収性物品を装着する内部クロッチ布が前記股下部に重なるように前記胴回り生地に接合され、前記胴回りの後身ごろ部でおしりの膨らみを包む臀部領域の背丈方向の伸張性がその前身ごろ部の下腹部領域に比べ高い生理用ショーツにより達成された。
【発明の効果】
【０００７】
本発明によれば、レッグ開口部が大腿部にある生理用ショーツにおいて、内部クロッチ布に取り付けた生理用ナプキン等の吸収性物品の固定状態を安定して維持することができ、ショーツのずり落ちが防止され、かつ、フィット性やサポート性が良好であり穿き心地の良い安定した装着感が得られる。
【図面の簡単な説明】
【０００８】
【図１】本発明における好ましい実施形態の生理用ショーツを斜め後ろから見た着用時の形状を模式的に示した斜視図である。
【図２】図１で示した生理用ショーツを（ａ）背面、（ｂ）前面から見た形状を模式的に示した斜視図である。
【図３】図１で示した生理用ショーツを上から見た形状を模式的に示した平面図である。
【図４】図１で示した生理用ショーツを股下から見た部分平面図により内部クロッチ布の安定化状態を示す説明図である。
【図５】内部クロッチ布に生理用ナプキンを着用する態様を模式的に示す部分斜視図である。
【図６】図２で示した生理用ショーツのIV−IV線断面の断面図である。
【図７】本実施形態のショーツ本体１の組み立て構成について説明するためさらに大幅に模式化して示した斜視図である。
【発明を実施するための形態】
【０００９】
図１は本発明における好ましい実施形態の生理用ショーツの着用状態を斜め後ろから見た形状を模式的に示した斜視図である。本実施形態の生理用ショーツは、胴まわり生地６（胴まわり）とそれに接合された股下布７（股下部）で、ウエスト開口部Ｗｏと、一対のレッグ開口部Ｌｏを前記股下布７で分画して有するショーツ本体１が構成されている。そして該ショーツ本体１の内側で股下布７と重なる位置に内部クロッチ布８（図３参照）が本体１の腹側前方と背側後方とで接合され取り付けられている。本発明において、布片が重なるとは、両布片の面方向に直行する方向にみて少なくとも部分的に重なりがあることをいい、両布片の主要部において重なりがあることが好ましい。胴まわり生地６は前身ごろ部Ｆ、わき身ごろ部Ｓ、後身ごろ部Ｒが連続して構成されている（図３参照）。後身ごろ部Ｒにおいては２つのおしりの膨らみを包う臀部領域２の間に臀部弾性帯部５が設けられ、臀部領域２の上下には伸張抑制領域２５、２６を有する。そして、ウエスト開口部の周縁には引張力が高められたウエスト締め付け部１７が配置され、レッグ開口部の周縁には同様に引張力が高められたレッグ締め付け部１８が配置されている。本実施形態の生理用ショーツは股上が浅く、わき身ごろ部Ｓにおいて特にウエスト開口部周縁の締め付け部１７を背骨１９から体内においてつながる腸骨稜１６に引っ掛けるようにして着用し、ずれ落ちを防止する。
【００１０】
図２（ａ）は本実施形態の生理用ショーツを背面から見た形状を模式的に示した斜視図であり、図２（ｂ）は前面から見た形状を模式的に示した斜視図である。本発明の生理用ショーツにおいて、わき身ごろ部Ｓは、胴まわり生地６のうちの、両脇の腸骨稜を含む身体の冠状面が横切る領域をいい、本実施形態においてやや背側に偏った領域である。前身ごろ部Ｆと後身ごろ部Ｒは、胴まわり生地６を冠状面で分けた前後のうち、わき身ごろ部Ｓを除いたそれぞれの領域である（図３参照）。そして本実施形態においては、前身ごろ部においてウエスト締め付け部１７とレッグ締め付け部１８は含まない下腹部から股間に向かう恥丘にかけた領域が下腹部領域４とされている。他方、臀部領域２は後身ごろ部Ｒのうち臀溝の上方でおしりの膨らみに対した領域であって、臀裂に対応する臀部弾性帯部５を除く部分をいう。
本発明の生理用ショーツは、後身ごろ部Ｒの臀部領域２の背丈方向の伸張性（Ｅｒｌ）が前身ごろ部Ｆの下腹部領域４の背丈方向の伸張性（Ｅｆｌ）に比べて高くされている（Ｅｒｌ＞Ｅｆｌ）。このようにすることで、前面Ｆは背丈方向の伸縮性（縦伸び）が小さい編み組織で前丈を安定させるとともに、お腹周りをしっかりサポートし、安定した着用状態を実現することができる。他方、脇からヒップにかけては縦伸びの大きい編み組織で、運動によって大きく変化する伸縮を受けとめ、女性の丸みをもって張り出したヒップの表面積に対応できる。さらに後身ごろ部Ｒの臀部領域２が縦方向に十分伸びることで足口も安定し、足を前に出しやすい立体的な足口ラインができる。さらに前身ごろ部の特に恥丘のあたりの伸張性を小さくして動きの少ない構成にすることが相まって、前身ごろ部Ｆが基盤のように働き、そこで接合された股下布７と内部クロッチ布８の相対位置が固定されるので、内部クロッチ布８に取り付けた生理用ナプキンが安定して保持される。
【００１１】
なお、本発明における伸張性とは５００ｃＮ荷重時の伸長率をいい、その値は特に断らない限り下記に示した方法で測定された値をいう。臀部領域２と前身ごろ部Ｆの背丈方向の伸張性の比（Ｅｒｌ／Ｅｆｌ）は４〜８が好ましく、５〜７がより好ましい。また具体的に、前身ごろ部の背丈方向の伸張性の値は、４０％〜８０％が好ましく、５０％〜７０％がより好ましい。臀部領域の背丈方向の伸張性の値は、３６０％〜４２０％が好ましく、３８０％〜４００％がより好ましい。
【００１２】
［伸長性の測定方法］
ショーツより、長手方向１００ｍｍ、幅方向２５mmの大きさで生地を切り出し試験片とし、テンシロン引張試験機ＲＴＣ−１２１０Ａ（商品名、ＯＲＩＥＮＴＥＣ製）を使用して測定する。テンシロンのチャック間距離を５０ｍｍとし、試験片の長手方向上端と下端の各々２５ｍｍをチャックにて掴み、ヘッドスピード３００ｍｍ／分で稼動させ、５００ｃＮ荷重時の伸長率を測定する。試験片の幅が２５ｍｍ未満の場合は２５ｍｍ幅への換算を行う。上記試験片の３点測定した平均値をショーツ各部位の伸長性とする。
【００１３】
本実施形態においては、わき身ごろ部Ｓの背丈方向の伸張性（Ｅｓｌ）は、前身ごろ部Ｆの背丈方向の伸張性（Ｅｆｌ）より高い（Ｅｓｌ＞Ｅｆｌ）ことが好ましい。図１からもわかるように、わき身ごろ部Ｓを背丈方向に伸張させて腸骨稜１６に引っ掛けやすくすることで、安定した装着感が得られるためである。わき身ごろ部と前身ごろ部の背丈方向の伸張性の比（Ｅｓｌ／Ｅｆｌ）は０．５〜３．５が好ましく、１〜３がより好ましい。また具体的に、わき身ごろ部の背丈方向の伸張性の値は、１１０％〜１５０％が好ましく、１２０％〜１４０％がより好ましい。わき身ごろ部Ｓの背丈方向の伸張性（Ｅｓｌ）は、前身ごろ部Ｆの背丈方向の伸張性（Ｅｆｌ）より高く、かつ、臀部領域２の背丈方向の伸張性（Ｅｒｌ）より低い（Ｅｒｌ＞Ｅｓｌ＞Ｅｆｌ）ことがさらに好ましい。
【００１４】
また、本実施形態では後身ごろ部Ｒが、臀部領域２の上下に伸張抑制領域２５、２６を有する。伸張抑制領域２５、２６の背丈方向の伸張性Eyl（図２参照）は、臀部領域２の背丈方向の伸張性Ｅrlより低くされている（Eyl＜Ｅrl）。これによりショーツの身体へのフィット性、サポート性が向上するとともに、下部の伸張抑制領域２６が内部クロッチ布８に取り付けた生理用ナプキンを股下部にフィットさせ、安定に保持する。
伸張抑制領域２５、２６の別の態様として、拡径方向（背丈方向と垂直に交わる方向）の伸張性Ｅｙｗ（図２参照）は、臀部領域２の拡径方向の伸張性Ｅｒｗより低くされている（Ｅｙｗ＜Ｅｒｗ）。これによりショーツの身体へのフィット性、サポート性が向上するとともに、下部の伸張抑制領域２６が内部クロッチ布８に取り付けた生理用ナプキンを股下部にフィットさせ、安定に保持する。
伸張抑制領域２５、２６は臀部領域２の上下にあって、わき身ごろ部Ｓに連なる形であることが好ましい。伸張抑制領域と臀部領域の背丈方向の伸張性の比（Ｅrl／Eyl）は１〜５が好ましく、２〜４がより好ましい。また具体的に、伸張抑制領域の拡径方向の伸張性の値は、１３０％〜１７０％が好ましく、１４０％〜１６０％がより好ましい。
【００１５】
本実施形態のショーツの後身ごろ部Ｒにおいて、内部クロッチ布８は股下布７が胴まわり生地６と接合されている位置２２よりも間隔ａで示した長さだけ上方、つまりウエスト開口部側の位置３２に接合されている。間隔ａは、着用状態において、背部における股下布７の胴まわり生地６との接合位置２２から内部クロッチ布８の接合位置３２までの着用時の布の最短の間隔（距離）である。この間隔ａは特に限定されないが、具体的には、２〜２０ｍｍが好ましく、５〜１５ｍｍがより好ましい。なお、本実施態様では内部クロッチ布８の接合位置３２が伸張抑制領域２６の一部をなしている。このようにすると、着用時の歩行等による運動に対しても、伸張抑制領域２６により内部クロッチ布８が強く引き上げられ、生理用ナプキンのフィット性が向上し、股下布７では、脚部等の動きに対する追従性が向上する。また、接合位置３２での縫合はその部分の伸張性を抑え、伸張抑制領域２６の好ましい伸張抑制状態を一層効果的に奏する。
【００１６】
図３は本実施形態の生理用ショーツを上から見た形状を模式的に示した平面図である。前身ごろ部Ｆ、わき身ごろ部Ｓ、後身ごろ部Ｒが連続して筒状の胴まわり生地６を構成する。
【００１７】
図４は生理用ショーツを着用している状態を股下から見た部分平面図により内部クロッチ布の安定化状態を示す説明図である。伸張性の高い後身ごろ部Ｒの臀部領域２は、体の動きに追従して伸縮する。これに対し、前身ごろ部Ｆの下腹部領域４は臀部領域４４に比べ背丈方向の伸張性が抑えられていることから、右足５１、左足５２の動きなどにかかわらず、静的に固定されたような状態になっている。内部クロッチ布８は、この固定的に配置された前身ごろ部Ｆに前方接合部３１で接合されているため、後身ごろ部Ｒが伸縮して動いたりしても安定して保持される。特に下腹部領域４の中でも身体の硬い動きの少ない恥丘に対応する生地の伸縮性が抑えられたため、ここが固定し、内部クロッチ布８に取り付けた生理用ナプキンは股下に安定的に維持されることとなる。さらに詳しく言えば、本実施形態においては、上述のようにそもそも起伏の少ない下腹部から恥丘ｑに、前後方向に伸縮性を抑えた下腹部領域４を配置し、この部分で股下布７及び内部クロッチ布８を接合したため、この領域が固定基部として働き、特に股下布前方接合部２１及び内部クロッチ布前方接合部３１の周辺を固定する。したがって、歩行等の着用者の動きによっても、ずれの気になる排泄ポイントｐからその前方部分で特に股下の内部クロッチ布８をずれたりよれたりさせることなく、安定した着用状態を実現する。他方、内部クロッチ布８の背側の肛門近くの部分においては、むしろ固定しすぎずに臀裂ｏに沿ってややくい込みながら動くことを許容し臀部領域の伸縮性が伝搬して適度に引き上げながら安定させる。さらに、該臀部弾性帯部５が臀裂に沿った中央でショーツと内部クロッチ布の位置を固定し、その両脇には柔らかく伸縮する高伸縮性の臀部領域２が配置されているため、おしりの膨らみにフィットしつつ逆に内部クロッチ布の安定性を阻害しない。これにより、ローライズタイプのショーツにおける良好な穿き心地と内部クロッチ布に装着した生理用品の保持安定性を両立する。
【００１８】
レッグ開口部が大腿部にあるショーツの場合、股下布の幅が広くなりがちであるため、ここで生理用ナプキンのウイングを折り返し、股下布（外布）に直接ウイングつきのナプキンを装着することは実際的ではない。これに対し本実施形態の生理用ショーツでは、ウイングつきのナプキンを使用できるようにするために、クロッチ部を二重にしてショーツ内部にウイングが収まる内部クロッチ布が設けられている。かかる内部クロッチ布への生理用ナプキンの着用状態については図５を参照して以下に説明する。
図５は股下布７と重ねて設けられている内部クロッチ布８にウイングつきの生理用ナプキン８０を装着した状態を模式的に示す部分斜視図である。生理用ナプキン８０のウイング８０ａを、矢印で示されているように内部クロッチ布８の縁に沿って折って、内部クロッチ布８と股下布７の間に収めて着用する。
【００１９】
図６は図２で示した生理用ショーツのIV−IV線断面の断面図である。但し模式的に示しており、実際の着用状態では通常内部クロッチ布８は押し付けられるようにして股下布７に当接している。着用状態における体の部位との関係を説明すると、ウエスト開口部Ｗａは骨盤における腸骨上部（およそ腸骨稜１６から上前腸骨棘）の高さに位置し、臍１１よりも下になる。このように、通常のパンツタイプのものより低めにウエスト開口部を位置して穿くことにより、ローライズパンツと組み合わせて穿いてもはみ出さず好ましい。そして本実施形態の生理用ショーツ１０は、腹部については、下腹部（恥骨部）を介して右鼡径部から左鼡径部にかけて覆い、背部はこの裏側となる臀部を覆うようにして装着される。このときレッグ開口部（図２参照）Ｌｏをなす裾Ｌａは大腿１５の上方に位置する。さらに着用者の正中面付近では、胴まわり生地６が恥丘当接部１２で恥丘と当接し、肛門当接部１４で肛門と当接する。また、内部クロッチ布８は膣口当接部１３で膣口に対応して、ここに生理用ナプキンを取り付けて経血等の排泄物を適切に吸収処理しうる。股下布７は後述するように筒状の胴まわり生地６が切り欠かれた部分に接合され、前方接合位置２１と後方接合位置２２の間にわたされてショーツ本体１の股下部分を構成する（図７参照）。そして内部クロッチ布８は、前方については股下布７の前方接合位置２１と同じ位置３１で接合され（図６参照）、後方については股下布７の後方接合位置２２よりも上、つまり肛門当接部１４寄りの後方接合位置３２で接合される。
【００２０】
図７は本実施形態のショーツ本体１の組み立て構成について説明するためさらに模式化して示した斜視図である。本実施形態における生理用ショーツの本体１は、上述のとおり筒状の胴まわり（身ごろ）生地６と股下布７とから構成されるが、胴まわり生地６は例えばまず丸編み機で所定長さの筒状の生地を編んで作る。この生地の股下部分となる位置に股下寸法に応じた所望の深さで逆Ｕ字型の切り込み９を入れ、切り取ったところに、逆Ｕ字型に湾曲させた股下布７を接合する。このとき股下布７の腹側接合線２１ａと胴まわり生地６の腹側接合線２１ｂとが接合され、股下布７の背側接合線２２ａと胴まわり生地６の背側接合線２２ｂとが接合される。生地の編み出しと編み終わりとなるウエスト開口縁（腰天）Ｗａとレッグ開口縁（裾）Ｌａは袋状（ニットイン）にして処理されるのが好ましい。縁部がニットインであることにより、肌あたりがよくなる。
【００２１】
このように接合された股下布７は、装着時、股下で着用者の頭部方向に凸になる逆Ｕ字型ないし鞍面形状を形成する。図７においては内部クロッチ布８は図示していないが、腹側前方のみ股下布７とともに、股下布７より上側（着用したときの肌側）になるように身頃に取り付けられる。前後方とも股下布７を接合したのち、内部クロッチ布の後方は、股下布の接合位置よりも上の、身頃におけるヒップ下部の生地に接合する。
【００２２】
本実施形態において内部クロッチ布８は、布の長さを選んで、前方接合位置３１から後方接合位置３２にかけて股下布７との間に隙間があるように取り付けられることが好ましい（図６参照）。生理用ナプキン等は湾曲せずに内部クロッチ布８上に固定され、安定した形状で保持されて、良好なサポート性が発揮される。着用時、生理用ナプキン等は内部クロッチ布８上に装着されるが、ウイングがあるときは内部クロッチ布８裏面の、股下布７との間に収めて固定することができる。
【００２３】
本発明の生理用ショーツは、股上が浅めであり、ウエスト開口部が腸骨稜を結ぶ線近傍までであることが好ましい。また、レッグ開口部は大腿方に位置する。例えば平均的な日本人女性用の場合、具体的には股上部ｈ（図２、６参照）は、１３〜２０ｃｍが好ましく、１５〜１８ｃｍがさらに好ましい。股下部ｌ（図２、６参照）は１〜７ｃｍが好ましく、２〜５ｃｍがさらに好ましいが、ｈ、ｌは特にこれらに限定されるものではない。
身丈と幅の比率は、（ｈ＋ｌ）：ｗ（図２参照）として１：１〜１：１．７が好ましく、１：１．１〜１：１．５がさらに好ましい。
【００２４】
本発明の生理用ショーツの胴まわり生地は、上記のように部位ごとに伸張性が調整されている。このような生地は使用する繊維の種類、編み方の選択、繊維の量の増減などにより調整し製造できる。例えば丸編み機では部分的に伸縮性の高い糸を使用するなどの操作が簡便に行えるため、このような生地の製造には好適である。また、丸編み機により一体的に製造することで、腹部から臀部への周囲方向において縫合による伸張性の非連続部分となる生地の縫合部分を形成しないようにすることができるため、身体形状や動きへ追従しやすい。具体的には、伸張部分では、伸縮性のある繊維を伸張抑制領域より低繊維量とし、伸張抑制領域では、高繊維量で伸び難い編み方（平編みやパール編み）を採用する等
して製造できる。
後身ごろは臀部のふくらみにフィットするように、立体的に伸縮性を調節したものが特に好ましい。このとき、背側後方において中央部に両側部よりも身丈方向の伸縮性の高い高伸縮部位、すなわち臀部弾性帯部を有する形態が好ましい。例えば図１に示す実施形態においては、胴まわり生地６の背側中央に、背側両側部より縦伸びの伸縮性の低い臀部弾性帯部５が設けられている。このようにすることで着用時にナプキンが引き上げられて、安定した形状で股間部に適度に押し付けられる。また、生理用ショーツが臀部にフィットして着用感が良好となる。他の形態として後身ごろの中央に、着用時に臀裂に沿う上下にわたって伸縮を止めるステッチを施したものも、ナプキンの引き上げ効果が現れ好ましい。従来の生理用ショーツでは、このようなナプキンの引き上げ効果を狙って、着用時に臀裂に沿う部分に伸縮テープを縫い付けるなどの方法がとられていた。これに対し本発明では別部材を使用しないので、ショーツの胴まわりに凹凸や固い部分ができず着用感を低下させない。別部材の接合工程も必要ないため、製造上も有利である。
【００２５】
前記内部クロッチ布の伸び率は、長手方向（腹側前方から背側後方にかけての方向）で幅方向（長手方向に対し垂直の方向）より小さくされていることが好ましい。このような伸び率とすることで、装着感を低下させずに生理用ナプキンを肌に適度に密着させることができる。５００ｇ荷重時の伸び率としては長手方向で１５〜４５％が好ましく、２０〜４０％がより好ましい。長手方向と幅方向の伸び率の差は、１０〜５０％が好ましく、２０〜４０％がより好ましい。
【符号の説明】
【００２６】
１  ショーツ本体
２  臀部領域
３  側部領域
４  下腹部領域
５  臀部弾性帯部
６  胴まわり生地
７  股下布
８  内部クロッチ布
９  切り込み
１０  生理用ショーツ
１１  臍
１２  恥丘当接部
１３  膣口当接部
１４  肛門当接部
１５  大腿
１６  腸骨稜
１７  ウエスト締め付け部
１８  レッグ締め付け部
１９  背骨
２１  股下布前方接合部
２２  股下布後方接合部
２５、２６  伸張抑制領域
３１  内部クロッチ布前方接合部
３２  内部クロッチ布後方接合部
５１  右足
５２  左足
Ｆ  前身ごろ部
Ｓ  わき身ごろ部
Ｒ  後身ごろ部
Ｗｏ  ウエスト開口部
Ｌｏ  レッグ開口部
【図１】
2011050683.tif 000003
【図２】
2011050683.tif 000004
【図３】
2011050683.tif 000005
【図４】
2011050683.tif 000006
【図５】
2011050683.tif 000007
【図６】
2011050683.tif 000008
【図７】
2011050683.tif 000009